(57)【要約】      （修正有）【課題】従来に比べて点灯時の見栄えを向上させることができる導光体及びこれを備える灯具を提供する。【解決手段】導光体３は、ＬＥＤ（光源）２からの光を導光させつつ発光する発光部３１と、他の部品に取り付けられる取付部３２ｂ，３２ｃとを有する。取付部３２ｂ，３２ｃは、発光部３１の左側面の略全長に亘って形成された壁状部３３の先端に設けられている。【選択図】図１
2015099634.tif 000002
【特許請求の範囲】
【請求項１】
光源からの光を導光させつつ発光する発光部と、他の部品に取り付けられる取付部とを有する導光体であって、
前記取付部は、前記発光部の側面の略全長に亘って形成された壁状部の先端に設けられていることを特徴とする導光体。
【請求項２】
前記発光部は、光源からの光を当該発光部内に入射させる入射面を有し、
前記壁状部は、前記入射面から離れるに連れて低くなるように形成されていることを特徴とする請求項１に記載の導光体。
【請求項３】
請求項１又は２に記載の導光体と、
前記導光体の入射面に対向配置された光源と、
を備えることを特徴とする灯具。
【発明の詳細な説明】
【技術分野】
【０００１】
本発明は、導光体及びこれを備える灯具に関する。
【背景技術】
【０００２】
従来、各種の灯具において、光源からの光を導光させつつ発光する導光体が用いられている（例えば、特許文献１，２参照）。この種の導光体では、別体の固定用部品を省いて部品点数を減らすなどの目的で、当該導光体を固定する（他の部品に取り付ける）ための取付部が、発光部と一体成形される場合がある。このような場合、取付部は、例えば図２（ａ），（ｂ）に示すように、発光部から後方へ延出する脚の先端に設けられ、ねじ締結などによって他の部品に取り付けられる。
【先行技術文献】
【特許文献】
【０００３】
【特許文献１】特開２０１１−１９８５３６号公報
【特許文献２】特開２０１１−２１６２７９号公報
【発明の概要】
【発明が解決しようとする課題】
【０００４】
しかしながら、上記従来の導光体では、取付部の脚が発光部の一部から単純に延出する形状に形成されているために、この脚の基端部（図２（ｂ）に二点差線で囲む部分）などの大きく形状変化する部分で光が乱反射し、当該部分が強く点光りしてしまう。そのため、点灯時の見栄えが好ましくないものとなり、この点光り部分を別体のエクステンションで覆うなどして、いわゆるボロ隠しを行う必要が生じてしまう。
【０００５】
本発明は、上記事情を鑑みてなされたもので、従来に比べて点灯時の見栄えを向上させることができる導光体及びこれを備える灯具の提供を課題とする。
【課題を解決するための手段】
【０００６】
上記課題を解決するために、請求項１に記載の発明は、
光源からの光を導光させつつ発光する発光部と、他の部品に取り付けられる取付部とを有する導光体であって、
前記取付部は、前記発光部の側面の略全長に亘って形成された壁状部の先端に設けられていることを特徴とする。
【０００７】
請求項２に記載の発明は、請求項１に記載の導光体において、
前記発光部は、光源からの光を当該発光部内に入射させる入射面を有し、
前記壁状部は、前記入射面から離れるに連れて低くなるように形成されていることを特徴とする。
【０００８】
請求項３に記載の発明は、灯具であって、
請求項１又は２に記載の導光体と、
前記導光体の入射面に対向配置された光源と、
を備えることを特徴とする。
【発明の効果】
【０００９】
請求項１に記載の発明によれば、他の部品に取り付けられる取付部が、発光部の側面の略全長に亘って形成された壁状部の先端に設けられているので、取付部の脚が発光部の一部から単純に延出していた従来に比べ、取付部を設けるための発光部付近での形状変化が小さくなる。したがって、従来に比べ、この形状変化部分での点光りを抑制することができ、ひいては点灯時の見栄えを向上させることができる。
【００１０】
請求項２に記載の発明によれば、発光部が、光源からの光を入射させる入射面を有し、壁状部が、この入射面から離れるに連れて低くなるように形成されているので、点光りが生じうる壁状部の先端は、より光が強い光源側ほど発光部から離れることになる。したがって、点光りをより一層抑制することができ、点灯時の見栄えをさらに向上させることができる。
【図面の簡単な説明】
【００１１】
【図１】実施形態における灯具の（ａ）正面図であり、（ｂ）側面図である。
【図２】従来の灯具の（ａ）正面図であり、（ｂ）側面図である。
【発明を実施するための形態】
【００１２】
以下、本発明の実施形態について、図面を参照して説明する。
図１は、本実施形態における灯具１の要部を示す図であり、このうち、（ａ）が正面図であり、（ｂ）が側面図である。
なお、以下の説明では、「前」「後」「左」「右」「上」「下」との記載は、特に断りのない限り、灯具１から見た方向を意味するものとする。
【００１３】
図１（ａ），（ｂ）に示すように、灯具１は、ＬＥＤ（発光ダイオード）２と、導光体３とを備えている。
このうち、ＬＥＤ２は、灯具１の光源であり、発光面を前方に向けた状態で配置されている。
【００１４】
導光体３は、ＬＥＤ２からの光によって発光するものであり、ＬＥＤ２からの光を導光させつつ当該光によって発光する発光部３１と、当該導光体３を固定する（他の部品に取り付ける）ための３つの取付部３２ａ〜３２ｃとを有している。
【００１５】
発光部３１は、長手方向に沿って後方へやや湾曲した長尺な略扁平板状に形成されており、正面視で右下がりに傾斜するとともに側面視で前下がりに傾斜した状態に配置されている。この発光部３１のうち、長手方向の後端面３１ａは、ＬＥＤ２の発光面に対向配置されており、ＬＥＤ２から出射された光を当該発光部３１（導光体３）内に入射させる入射面となっている。また、発光部３１のうち、長手方向に沿った後面３１ｂには、図示しない複数のレンズカットが長手方向に沿って略全面に亘って形成されている。そのため、ＬＥＤ２から出射されて後端面３１ａから発光部３１（導光体３）内に入射した光は、当該発光部３１内を長手方向に沿って導光しつつ後面３１ｂのレンズカットで前方へ反射されて当該発光部３１の前面３１ｃから出射し、当該前面３１ｃを発光させる。
【００１６】
３つの取付部３２ａ〜３２ｃは、発光部３１の側部に設けられており、図示しないハウジングなどの他の部品にねじ締結又は係止されることにより、当該他の部品に取り付けられる。
このうち、取付部３２ａは、発光部３１の右側面から右側方へ鍔状に延出するように設けられている。具体的には、取付部３２ａは、発光部３１のうち、入射面である後端面３１ａから比較的に離れた後半部の右側面に、当該発光部３１に沿ってやや長尺に形成されている。
【００１７】
一方、２つの取付部３２ｂ，３２ｃは、発光部３１の左側面から後方へ延出する壁状部３３の先端に設けられている。壁状部３３は、発光部３１の左側面の略全長に亘って形成された立壁であり、２つの取付部３２ｂ，３２ｃは、この壁状部３３の最後端と長手方向中央の位置に左側方へ鍔状に延出するように設けられている。また、壁状部３３は、入射面である後端面３１ａから遠い前半部よりも、後端面３１ａに近い後半部の方が高く（延出長さが長く）なっている。より詳しくは、壁状部３３のうち、前端部から取付部３２ｃまでの前半部は略一定の高さに形成されており、取付部３２ｃから取付部３２ｂまでの後半部は、後端面３１ａから離れるに連れて次第に低くなるように形成されている。なお、前半部も含めた壁状部３３の全長に亘って、後端面３１ａから離れるに連れて次第に低くなるように形成されていてもよい。
【００１８】
以上のように、本実施形態の導光体３によれば、他の部品に取り付けられる取付部３２ｂ，３２ｃが、発光部３１の左側面の略全長に亘って形成された壁状部３３の先端に設けられているので、取付部の脚が発光部の一部から単純に延出していた従来に比べ、取付部３２ｂ，３２ｃを設けるための発光部３１付近での急激な形状変化（角となる部分）が小さくなる。したがって、従来に比べ、この形状変化部分での点光りを抑制することができ、ひいては点灯時の見栄えを向上させることができる。
【００１９】
また、発光部３１がＬＥＤ２からの光を入射させる後端面３１ａを有し、壁状部３３がこの後端面３１ａから離れるに連れて低くなるように形成されているので、点光りが生じうる壁状部３３の先端は、より光が強いＬＥＤ２側ほど発光部３１から離れることになる。したがって、点光りをより一層抑制することができ、点灯時の見栄えをさらに向上させることができる。
【００２０】
なお、本発明を適用可能な実施形態は、上述した実施形態に限定されることなく、本発明の趣旨を逸脱しない範囲で適宜変更可能である。
【符号の説明】
【００２１】
１            灯具
２            ＬＥＤ（光源）
３            導光体
３１        発光部
３１ａ    後端面（入射面）
３２ｂ，３２ｃ  取付部
３３        壁状部
【図１】
2015099634.tif 000003
【図２】
2015099634.tif 000004